(57)【要約】【課題】部屋やホールの任意の場所を所望の照度で照明するための照明制御を提供する。【解決手段】発光光度を制御できる複数の照明器具を具備する照明装置と、前記照明装置によって照明される１つ以上の位置の照度を計測し、計測した照度を表す情報である現在照度を出力する１つ以上の照度センサ装置と、前記照明器具の光源光度を変分光度だけ変化させて得た前記現在照度の変化に基づき、各照明器具の前記現在照度に対する影響度を計測し、前記影響度が大きい照明器具を選択し、当該選択された照明器具の発光光度を所定の順序で増減制御する照度制御装置とを具備し、影響度の大きい照明器具ほど光度を大きくする照明制御システム。【選択図】図１
2008016291.tif 000002
【特許請求の範囲】
【請求項１】
発光光度を制御できる複数の照明器具を具備する照明装置と、
前記照明装置によって照明される位置の照度を計測し、計測した照度を表す情報である現在照度情報を出力する１つ以上の照度センサ装置と、
前記各照明器具の光源光度を所定の変分光度だけ変化させて得た前記現在照度情報の変化に基づき、各照明器具が前記照度センサ装置の前記現在照度情報に及ぼす影響度を計測し、当該影響度を用いて影響度が大きいと判断された照明器具を前記照度センサ装置毎に選択し、当該選択された照明器具の発光光度を増減制御する照度制御装置と、
を具備した照明制御システム。
【請求項２】
発光光度を制御できる複数の照明器具を具備する照明装置と、
前記照明装置によって照明される位置の照度を計測し、計測した照度を表す情報である現在照度情報を出力する１つ以上の照度センサ装置と、
前記各照明器具の光源光度を所定の変分光度だけ変化させて得た前記現在照度情報の変化を表す差照度に基づき、各照明器具が前記照度センサ装置の前記現在照度情報に及ぼす影響度を計測し、当該影響度を用いて影響度が大きいと判断された照明器具を前記照度センサ装置毎に複数個選び、当該選択された複数個の照明器具の発光光度を増減制御する照度制御装置と、
を具備した照明制御システム。
【請求項３】
前記照度制御装置は、
前記照度センサ装置に対して設定される目標照度情報と当該照度センサ装置が出力する前記現在照度情報とを比較し、目標照度情報の方が小さい場合、当該照度センサ装置に対して選択された複数個の照明器具の内で影響度が小さいと判断された照明器具を優先して選択して、その発光光度を減光させることを特徴とする請求項２記載の照明制御システム。
【請求項４】
前記照度制御装置は、
前記当該照度センサ装置に対して選択された複数個の照明器具の内で、影響度が最も小さいと判断された照明器具の発光光度を減光させた後、影響度が次に小さいと判断された照明器具の発光光度を減光させることを特徴とする請求項３記載の照明制御システム。
【請求項５】
前記照度制御装置は、
前記照度センサ装置に対して設定される目標照度情報と当該照度センサ装置が出力する前記現在照度情報とを比較し、目標照度情報の方が大きい場合、当該照度センサ装置に対して選択された複数個の照明器具の内で影響度が大きいと判断された照明器具を優先して選択して、その発光光度を増光させることを特徴とする請求項２記載の照明制御システム。
【請求項６】
前記照度制御装置は、
前記当該照度センサ装置に対して選択された複数個の照明器具の内で、影響度が最も大きいと判断された照明器具の発光光度を増光させた後、影響度が次に大きいと判断された照明器具の発光光度を増光させることを特徴とする請求項５記載の照明制御システム。
【請求項７】
前記照度制御装置は、
前記影響度が大きいと判断された照明器具として選択された照明器具以外の照明器具の発光光度を所定の低光度に設定することを特徴とする請求項１または請求項２記載の照明制御システム。
【請求項８】
前記照度制御装置は、
前記照度センサ装置が複数ある場合、前記照度センサ装置毎に設定される目標照度情報と当該照度センサ装置が出力する前記現在照度情報とを比較し、前記現在照度情報と前記目標照度情報の差が大きい照度センサ装置を優先的に選択して、当該選択された照度センサ装置に対する影響度が大きいと判断された前記照明器具の発光光度を増減することを特徴とする請求項１または請求項２記載の照明制御システム。
【請求項９】
前記照度制御装置は、
前記照度センサ装置が複数ある場合、前記照度センサ装置毎に設定される目標照度情報と当該照度センサ装置が出力する前記現在照度情報とを比較し、前記現在照度情報が前記目標照度情報を下回る照度センサ装置を優先的に選択して、当該選択された照度センサ装置に対する影響度が大きいと判断された前記照明器具の発光光度を増光させることを特徴とする請求項１または請求項２記載の照明制御システム。
【請求項１０】
前記照度制御装置は、
前記影響度が大きいと判断された照明器具として選択された複数個の照明器具の発光光度が最高光度になっていて増光出来ない場合、前記影響度が大きいと判断された照明器具として選択された照明器具以外の照明器具の発光光度を増光させることを特徴とする請求項１または請求項２記載の照明制御システム。
【請求項１１】
前記照度制御装置は、前記影響度が大きいと判断された照明器具として選択された複数個の照明器具の発光光度が最高光度になっていて増光出来ない場合、前記影響度が大きい照明器具として選択された照明器具以外の照明器具の内で、前記影響度が大きい照明器具として選択された照明器具の近傍に位置する照明器具の発光光度を増光させることを特徴とする請求項１または請求項２記載の照明制御システム。
【請求項１２】
前記照度制御装置は、前記影響度が大きいと判断された照明器具を前記照度センサ装置毎に４個ないし６個選び、当該選択された４個ないし６個の照明器具の発光光度を増減制御することを特徴とする請求項１または請求項２記載の照明制御システム。
【発明の詳細な説明】
【技術分野】
【０００１】
本発明は、照明制御システムに関し、特に、簡単な構成により任意の場所の照度を所望の照度に設定できる照明制御システムに関する。
【背景技術】
【０００２】
従来、多数の照明装置の光度を制御して、任意の場所の照度を所望の照度にすることは容易ではなかった。例えば、次のような方式が知られている。手元装置と照明装置との間の通信の伝送媒体に指向特性を持たせ、必要に応じてＩＤ情報を使用して、照明装置を選択、指名する。指名された照明装置は、点灯、光度設定を行う。所望の位置の照度と目標照度との関係が所定の条件を満足するか、満足しないかを判断し、判断結果に基づき、複数の照明装置のそれぞれの光度を増加または減少させる手順を順次行わせることにより、所望の位置の照度を目標照度に近づけてゆく。照明装置の光度をランダムに変更し、所望の位置の照度と目標照度の比較を行い、比較結果に基づき、変光幅を狭くしてゆくことにより、所望の位置の照度を目標照度に近づけてゆく（例えば、特許文献１など）。
【特許文献１】特開２００５−１８３２７４号公報（第１頁、図１等）
【発明の開示】
【発明が解決しようとする課題】
【０００３】
しかしながら、上記従来技術による照明制御システムでは、複数の照明装置のそれぞれに送受信機能と光度増加、低減の判断機能と制御機能を備える必要があり、照明器具の数が多い場合、全体として規模が大きくなる課題があった。また、所望の照度に収束するまでの制御に時間がかかるという課題もあった。
【０００４】
本発明は、複数の照明器具のそれぞれの構成が簡単で、速やかに所望の照度に収束する照明制御システムを提供することを目的とする。
【課題を解決するための手段】
【０００５】
上記の課題を解決するために、本発明の照明制御システムは、以下のような手段および手順を採用する。
（１）本発明は、発光光度を制御できる複数の照明器具を具備する照明装置と、前記照明装置によって照明される１つ以上の位置の照度を計測し、計測した照度を表す情報である現在照度情報を出力する１つ以上の照度センサ装置と、前記照明器具の光源光度を変分光度だけ変化させて得た前記現在照度情報の変化に基づき、各照明器具の前記現在照度情報に対する影響度を計測し、前記影響度が大きい照明器具を選択し、当該選択された照明器具の発光光度を所定の順序で増減制御する照度制御装置と、を具備した照明制御システムである。
【０００６】
本発明により、簡単な構成と手順により、所望の場所の照度を所望の照度に制御できる。
（２）本発明は、前記照度制御装置が、前記影響度が大きい照明器具を複数個選び、当該選択された複数個の照明器具の発光光度を所定の順序で増減制御する照明制御システムである。
【０００７】
本発明により、簡単な手順により、所望の場所の照度を所望の照度に制御でき、照度制御装置が一箇所に集中して設置できるので、システムが簡単になる。
（３）本発明において、前記照度制御装置は、前記照度センサ装置に対して設定される目標照度情報と当該照度センサ装置が出力する前記現在照度情報とを比較し、目標照度情報の方が大きい場合、当該照度センサ装置に対して選択された複数個の照明器具の内で影響度が小さい照明器具を優先して選択して、その発光光度を減光させる。その後、必要なら、影響度が次に小さい照明器具の減光を行う。
【０００８】
本発明により、簡単な手順により、所望の場所の照度を所望の照度に短時間で制御できる。
（４）本発明において、前記照度制御装置は、前記照度センサ装置に対応して設定される目標照度情報と当該照度センサ装置が出力する前記現在照度情報とを比較し、目標照度情報の方が小さい場合、当該照度センサ装置に対して選択された複数個の照明器具の内で影響度が大きい照明器具を優先して選択して、その発光光度を増光させる。その後、必要なら、影響度が次に大きい照明器具の増光を行う。
【０００９】
本発明により、簡単な手順により、所望の場所の照度を所望の照度に短時間で制御できる。
（５）本発明において、前記照度制御装置は、前記影響度が大きい照明器具として選択された照明器具以外の照明器具の発光光度を所定の低光度に設定する。
【００１０】
本発明により、簡単な手順により、所望の場所の照度を所望の照度に短時間で制御でき、かつ、省電力を実現できる。
（６）本発明において、前記照度制御装置は、前記照度センサ装置が複数ある場合、前記照度センサ装置毎に設定される目標照度情報と当該照度センサ装置が出力する前記現在照度情報とを比較し、前記現在照度情報と前記目標照度情報の差が大きい照度センサ装置を優先的に選択して、当該選択された照度センサ装置に対する影響度が大きい前記照明器具の発光光度を増減させる。
【００１１】
本発明により、簡単な手順により、所望の場所の照度を所望の照度に短時間で制御できる。
（７）本発明において、前記照度制御装置は、前記照度センサ装置が複数ある場合、前記照度センサ装置毎に設定される目標照度情報と当該照度センサ装置が出力する前記現在照度情報とを比較し、前記現在照度情報が前記目標照度情報を下回る照度センサ装置を優先的に選択して、当該選択された照度センサ装置に対する影響度が大きい前記照明器具の発光光度を増光させる。
【００１２】
本発明により、簡単な手順により、所望の場所の照度を所望の照度に短時間で制御できる。
（８）本発明において、前記照度制御装置は、前記影響度が大きい照明器具として選択された複数個の照明器具の発光光度が最高光度になっていて増光出来ない場合、前記影響度が大きい照明器具として選択された照明器具以外の照明器具の発光光度を増光させる。
【００１３】
本発明により、簡単な手順により、所望の場所の照度を所望の照度以上の照度に短時間で制御できる。
（９）本発明において、前記照度制御装置は、前記影響度が大きい照明器具として選択された複数個の照明器具の発光光度が最高光度になっていて増光出来ない場合、前記影響度が大きい照明器具として選択された照明器具以外の照明器具の内で、前記影響度が大きい照明器具として選択された照明器具の近傍に位置する照明器具の発光光度を増光させる。
【００１４】
本発明により、簡単な手順により、所望の場所の照度を所望の照度以上の照度に短時間で制御でき、かつ、省電力を実現できる。
【発明の効果】
【００１５】
本発明の照明制御システムによれば、簡単な構成で速やかに所望の照度に収束する照明制御システムを実現できる。
【発明を実施するための最良の形態】
【００１６】
本発明の照明制御システムの実施形態について図面を参照して説明する。なお、実施の形態において同じ符号を付した構成要素が同様の動作を行う場合には、再度の説明を省略する場合がある。
（実施の形態１）
【００１７】
本発明の照明制御システムは、発光光度を制御できる複数の照明器具を具備する照明装置と、前記照明装置によって照明される位置の照度を計測し、計測した照度を表す情報である現在照度情報を出力する１つ以上の照度センサ装置と、前記照明器具の光源光度を変分光度だけ変化させ、前記照度センサ装置から受信して得た現在照度情報から、前記現在照度情報の変化に関する情報を取得し、各照明器具が前記照度センサ装置の前記現在照度情報に及ぼす影響度を取得し、前記影響度が大きい照明器具を前記照度センサ装置毎に選択し、当該選択された照明器具の発光光度を所定の順序で増減制御する照度制御装置とを具備する。
【００１８】
上記、照明される位置とは、照度センサ装置が設けられている位置を指す。照度センサ装置は、１つでも複数個でもよい。影響度が大きいとして選択される照明器具は、照度センサ装置毎に選択される。１つの照度センサ装置に対応して選択される影響度の大きい照明器具の数は、１個でも複数個でもよい。従って、照度センサ装置の数が多いほど、選択される照明器具の総数は多くなる。
【００１９】
また、照度センサ装置が現在照度情報を出力するとは、照度制御装置を特定したＰ２Ｐによる送信でも良いし、ブロードキャストによる送信でも良い。
【００２０】
また、上記において、光源光度を変分光度だけ変化させる場合の変分光度の情報、影響度の大小の判定のための閾値は、予め記録媒体等に格納している、とする。
【００２１】
影響度とは、ある照明器具の光度を一定の光度、すなわち変分光度だけ変化させたとき、現在照度をどれだけ変化させることができるかを表すことができる指標である。影響度は、変分光度によって生じる現在照度の変化分を変分光度で正規化した値で表すことができる。また、変分光度を全ての照明器具について一定値とすれば、現在照度の変化分の値を影響度の値としてもよい。影響度の計測とは、変分光度の変化を照明器具に与えることにより、上記のような影響度の値を算出することを指す。影響度、および、その計測方法の具体的な例については、後で詳しく説明する。
【００２２】
また、影響度が大きい照明器具とは、取得した影響度の上位ｐ個（ｐは自然数）の照明器具等でも良し、取得した影響度が所定の閾値より大きい１以上の照明器具等でも良い。
【００２３】
さらに、照明器具の発光光度の増減制御とは、照明器具の発光光度を増加させたり、減少させたりする制御をいう。
【００２４】
図１に、本発明の実施の形態１の照明制御システムの構成ブロック図を示す。本発明の照明制御システムは、図１に示すように、照明装置１００、照度制御装置２００、および、照度センサ装置１０ａ、１０ｂ、１０ｃを具備する。照明装置１００は、部屋などを照明する照明器具を複数個備える。図１の場合、照明器具Ｌ１からＬ１５の１５個の照明器具が、天井に配置されている。照度センサ装置１０ａ、１０ｂ、１０ｃは、部屋の机の上などに置くことができる移動可能な装置であって、置かれている位置の照度を計測し、後述する照度センサ情報を照度制御装置２００に送信する機能を有する。図１の場合、照度センサ装置１０ａは、照明器具Ｌ１、Ｌ２、Ｌ６、Ｌ７の下あたりに置かれている。照度センサ装置１０ｂは、照明器具Ｌ３、Ｌ４の下あたりに置かれている。照度センサ装置１０ｃは、照明器具Ｌ１４、Ｌ１５の下あたりに置かれている。
【００２５】
照度制御装置２００は、照度センサ装置１０ａ、１０ｂ、１０ｃから送信される照度センサ情報を受信し、後述するような制御手順に従って、照明器具Ｌ１からＬ１５の１５個の照明器具の内の所定の照明器具の光度を増減する。このために、照度制御装置２００は、各照明器具Ｌ１からＬ１５の１５個の照明器具それぞれに対して、発光光度を指示する１５個の光度情報を送出する。光度情報を受け取った各照明器具は、光度情報に対応した発光光度で発光する。
【００２６】
図２は、照度センサ装置１０ａと照度制御装置２００の内部構成の例を示す図である。照度センサ装置１０ａは、照度センサ１１、制御部１２、目標照度設定部１３、および、送信部１４を具備する。
【００２７】
照度センサ装置１０ｂ、１０ｃも照度センサ装置１０ａと同様の構成である。照度センサ１１は、照度センサ装置１０ａが置かれている位置の照度を感知するセンサ素子で、フォトセル、フォトダイオード、フォトトランジスタなどが使用可能である。
【００２８】
目標照度設定部１３は、所望の目標照度値を設定、入力する機能を有しており、例えば、照度値を３００ルックスから８００ルックスまで、５０ルックス毎に選択できる目標照度設定用の回転スイッチや押ボタンスイッチと、照度設定制御を開始させるスタートスイッチとにより構成される。なお、目標照度設定部１３は、テンキーなどで構成してもよい。
【００２９】
制御部１２は、照度センサ１１の出力信号を元に現在照度情報である現在照度値のデータを生成し、目標照度設定部１３のスイッチの状況を調べて目標照度値のデータを生成し、スタートスイッチのＯＮ、ＯＦＦを調べて、開始ビットを生成し、送信部１４に渡して照度センサ情報として送信させる。以下、特に断らない限り、現在照度値は、現在照度値のデータと同義であり、目標照度値は、目標照度値のデータと同義である。
【００３０】
照度センサ情報の形態の一例を図３に示す。照度センサ装置ＩＤｉは、照度センサ装置１０ａ、１０ｂ、１０ｃを識別する識別情報であり、一例として、順番にｉ＝１、２、３で表すものとする。目標照度Ｌｔｉは、目標照度情報であって、目標照度設定部１３のスイッチによって指定されたターゲットとする照度値の大きさの情報である。現在照度Ｌｓｉは、現在照度情報であって、照度センサ１１が感知した現在照度値の大きさの情報である。開始ビットは、スタートスイッチが押されてＯＮになると「１」となり、スタートスイッチを離してＯＦＦになった場合「０」となるビット情報である。
【００３１】
送信部１４は、照度センサ情報を照度制御装置２００に送信する。また、送信部１４が送信する照度センサ情報は、無線電波による信号でも、赤外線による信号でもよい。なお、送信部１４は、有線通信による送信方式や、ブロードキャストによる通信方式を採用することもできる。目標照度Ｌｔｉ、現在照度Ｌｓｉの情報は、ルックスの値をデジタル化した情報、照明の明るさの大きさを段階的に表した符号情報などでよい。現在照度Ｌｓｉは、後述する影響度の計測のために、デジタル化ビット数や段階の分解能は、多めがよい。
【００３２】
照度制御装置２００は、受信部２１、制御部２２、記憶部２３、および、光度情報送出部２４を具備する。
【００３３】
受信部２１は、無線通信、赤外線通信、有線通信など、送信部１４に適用された通信方式による照度センサ情報を受信し、受信信号を解読して、照度センサ装置ＩＤｉ、目標照度情報Ｌｔｉ、現在照度Ｌｓｉ、開始ビットの情報を制御部２２に供給する。
【００３４】
制御部２２は、照度センサ装置ＩＤｉ、目標照度情報Ｌｔｉ、現在照度Ｌｓｉ、開始ビットを受け取ると、その情報の内容に従って必要な情報を記憶部２３に格納し、後述する照明制御手順に従って、照明器具Ｌ１〜Ｌ１５用の光度情報を生成し、光度情報送出部２４に供給する。
【００３５】
光度情報送出部２４は、光度情報を受け取ると、照明器具Ｌ１〜Ｌ１５に光度情報を送出する。ここで送出とは、無線または有線による通信、放送などの概念を含む。
【００３６】
記憶部２３には、図４に示すような影響度ランク表、光源光度表、影響度ランク外光源表、照度センサ情報表などの各種テーブルの記憶領域を設けておく。また、後述する初期光度Ｃｓ、最高光度Ｃｍａｘ、低光度Ｃｍｉｎなどの定数値データを予め記憶部２３に格納しておく。
【００３７】
影響度ランク表とは、照度センサ装置の識別情報ｉ毎に、当該照度センサ装置の現在照度Ｌｓｉに対する影響度が大きいと判断された照明器具の識別番号（Ｌ１〜Ｌ１５で表す。）を格納した表である。照度センサ装置の識別情報ｉと影響度のランク１位、２位、３位、４位などが指定されると、該当する照明器具識別番号を調べることができる。
【００３８】
光源光度表とは、影響度ランク表に格納されている照明器具、すなわち、影響度が大きいと判断された照明器具の発光光度の値を、各照度センサ装置の識別情報ｉと各ランク１位、２位、３位、４位毎に格納した表である。Ｃｊ（ｊ＝１〜１５）は、照明器具Ｌｊ（ｊ＝１〜１５）の発光光度の値に相当する情報である。光源光度表により、影響度が大きいと判断された照明器具それぞれの発光光度の情報を調べることができる。
【００３９】
影響度ランク外光源表とは、影響度ランク表に格納されていない照明器具の識別番号を格納した表である。どの照度センサ装置に対しても影響度が小さいと判断されて影響度ランク表に格納されなかった照明器具の識別番号が格納される。
【００４０】
照度センサ情報表とは、照度センサ装置の識別情報ｉ毎に、目標照度Ｌｔｉ、現在照度Ｌｓｉ、および、差照度（Ｌｔｉ−Ｌｓｉ）を格納した表である。
【００４１】
照明器具Ｌ１〜Ｌ１５は、照度制御装置２００から送付される光度情報に従って、発光光度を制御できる照明器具である。発光光度を変更する方式としては、蛍光灯の点灯時間率をインバータ制御のようなパルス幅変調方式により可変する方式が適用できる。例えば、ＦＳＡ４２００１Ｆ（松下電工製）が利用できる。この照明器具では、蛍光灯部とインバータ制御回路の部分とが別筐体になっているので、インバータ制御回路の部分は、天井にも設置できるが、１５個まとめて部屋の片隅に設置することもできるし、照度制御装置２００の近傍に設置することもできる。
【００４２】
光度情報は、照明器具Ｌ１〜Ｌ１５の発光光度をそれぞれに設定する１５個の情報であって、カンデラ値を表す数値情報、カンデラ値の大きさの段階を区別する符号情報、パルス幅変調のデューティサイクル値を指示する数値情報や符号情報などでよい。１５個の光度情報を光度情報送出部２４から各照明器具Ｌ１〜Ｌ１５に供給する方式としては、それぞれ別個の配線を付設する方式でよい。また、光度情報に照明器具Ｌ１〜Ｌ１５の識別番号を付加した形態の１５個の情報列またはパケットをＬＡＮケーブルのような伝送路により照明器具Ｌ１〜Ｌ１５に送信し、照明器具Ｌ１〜Ｌ１５において、自己の識別番号を確認して、自身用の光度情報を取り込むようにしてもよい。また、ＬＡＮケーブルの代りに１００Ｖの電力線を情報伝送経路として使用する方式でもよい。
【００４３】
次に、本発明の照明制御システムの照明制御方法について説明する。本発明の照明制御システムの照明制御方法は、基本的に以下のような手順を採用する。
（１）ユーザは、各照度センサ装置の目標照度情報値を入力し、目標照度設定部１３は、目標照度情報値を受け付け、設定する。ここで、設定とは、メモリ等への書き込みを言う。
（２）制御部２２は、各照明器具を初期光度Ｃｓで点灯する。
（３）制御部２２は、各照明器具の光度を順に微小変化することにより、各照明器具と各照度センサ装置間の影響度を計測する。微小変化させる値は、予め格納しており、当該値を読み出し、制御部２２は、その値に従って光度を微小変化する。影響度を計測する処理については、後述する。
（４）制御部２２は、各照度センサ装置の照度センサ情報を取得する。
（５）制御部２２は、取得した照度センサ情報から確定的ルールに基づき、各照明器具の次光度を生成する。ここで、確定的ルールとは、システムが置かれている状態が与えられると、その状態から次の状態への遷移が一義的に決まり、何回実施しても同様の過程を経るようなルールである。システムにランダムな変化を与えるような遷移のルールに比べて、試行回数や遷移回数が少なくなる可能性がある。
（６）制御部２２は、次光度の光度情報により照明器具を点灯する。
（７）上記、（４）から（６）の手順を繰り返す。
【００４４】
以上のような流れにより、１台の集中制御装置である照度制御装置２００により、各照明器具が、各照度センサ装置の現在照度Ｌｓｉが目標照度Ｌｔｉを上回り、かつ全体の消費電力が少なくなるような最適のパターンで点灯するように制御する。最適なパターンで点灯することにより、照明装置１００全体で、ユーザの要求する照度を満たし、かつ、省電力な状態を実現することが可能である。上記（３）の手順は、照明器具と照度センサ装置の位置関係を把握する手順であって、本発明における重要な手順である。
【００４５】
図５は、上記（２）、（３）の影響度計測手順の詳細のフローチャートの一例である。まず、照度センサ装置１０ａ、１０ｂ、１０ｃは、所定の時間間隔（通常、等間隔であるが、ランダムな間隔でも良い）で、図３の照度センサ情報を周期的に送信する。３つの照度センサ情報が衝突して、誤った情報を受信しないように、送信の搬送周波数を別々にしてもよいし、送信周期を異ならせて、衝突が毎回は起こらないようにしてもよい。衝突を検知して、その場合、照度センサ情報を再送するようにしても良い。照度センサ情報には、同期信号や誤り検出符号または誤り訂正符号を付加するのが好ましい。
【００４６】
ユーザが、照度センサ装置１０ａ、１０ｂ、１０ｃのいずれかのスタートスイッチを操作して、照明制御の開始を指示すると、送信される照度センサ情報の開始ビットに「１」が立ち、制御部２２が受信部２１より受け取る３つの照度センサ情報のいずれかの開始ビットが「１」になる。制御部２２では、開始ビットが「１」になると影響度の計測を開始する。まず、図５の（ステップＳ１１）において、制御部２２は、予め記憶してある初期光度Ｃｓの光度情報データを記憶部２３より読み出し、光度情報送出部２４から各照明器具Ｌ１〜Ｌ１５に送出し、全照明器具Ｌ１〜Ｌ１５を初期光度Ｃｓで点灯する。なお、説明の都合上、照明器具Ｌ１〜Ｌ１５の識別子として照明器具の番号ｊ＝１〜１５を割り当てておくものとする。また、初期光度Ｃｓの光度情報データは、例えば、最大の光度を示すデータ（例えば、１７００カンデラ）である。
【００４７】
次に（ステップＳ１２）において、ｊ＝１とする。すなわち、照明器具Ｌ１を選択する。
【００４８】
（ステップＳ１３）に進み、照明器具Ｌｊの光度を所定の変分光度分（例えば、３４０カンデラ）だけ減光する。例えば、初期光度Ｃｓを１７００カンデラとした場合、変分光度３４０カンデラ分低減して、１３６０カンデラとする。照度センサ装置１０ａ、１０ｂ、１０ｃは、それぞれの位置において現在照度を計測しており、その結果を照度センサ情報として、照度制御装置２００の受信部２１に送信する。
【００４９】
制御部２２は、受信部２１から３つの照度センサ情報を受け取り、変分光度分だけ減光した状態での現在照度Ｌｓｉ'（ｉ＝１、２、３）を記憶部２３に格納する。
【００５０】
次に（ステップＳ１４）に進み、照明器具Ｌｊの光度を初期光度Ｃｓに戻す。照度センサ装置１０ａ、１０ｂ、１０ｃの各制御部１２は、新たな現在照度Ｌｓｉを照度センサ情報に搭載して、照度制御装置２００の受信部２１に送信する。制御部２２は、受信部２１から３つの照度センサ情報を受け取り、初期光度Ｃｓの状態での現在照度Ｌｓｉ（ｉ＝１、２、３）を記憶部２３に格納する。
【００５１】
次に（ステップＳ１５）に進み、差照度ΔＬｉｊ＝Ｌｓｉ−Ｌｓｉ'を算出し、記憶部２３に格納する。差照度ΔＬｉｊは、初期光度Ｃｓと変分光度分だけ変化させたときの現在照度の変化分である。
【００５２】
次に（ステップＳ１６）に進み、ｊが照明器具Ｌ１〜Ｌ１５の数１５になったかどうか判定する。Ｎｏの場合、（ステップＳ１７）に進み、ｊを１増やし、（ステップＳ１３）に戻り、次の照明器具Ｌ２についての影響度の計測に移る。ｊ＝ＭＡＸ、すなわち、１５になると、全照明器具Ｌ１〜Ｌ１５についての影響度の計測が終わり、Ｙｅｓとなるので、（ステップＳ１８）に進む。なお、現在照度Ｌｓｉ'と現在照度Ｌｓｉは、照明器具Ｌ１〜Ｌ１５についてそれぞれ複数回計測して、それぞれ平均値を計算して求めてもよい。
【００５３】
この状態では、記憶部２３には、各照明器具Ｌ１〜Ｌ１５の照度センサ装置１０ａに対する影響度である１５個の差照度ΔＬ１ｊ（ｊ＝１〜１５）、照度センサ装置１０ｂに対する影響度である１５個の差照度ΔＬ２ｊ（ｊ＝１〜１５）、および、照度センサ装置１０ｃに対する影響度である１５個の差照度ΔＬ３ｊ（ｊ＝１〜１５）が格納されている。制御部２２は、（ステップＳ１８）において、ｉ＝１の照度センサ装置１０ａにより得られた差照度ΔＬ１ｊ（ｊ＝１〜１５）の中から大きいもの順に４個を選択し、その照明器具の識別番号を、記憶部２３内に設けられている影響度ランク表のｉ＝１の欄に格納する。便宜上、照明器具の識別番号をＬ１、Ｌ２などで表す。影響度ランク表の例を図４（ａ）に示す。
【００５４】
次に、ｉ＝２の照度センサ装置１０ｂにより得られた差照度ΔＬ２ｊ（ｊ＝１〜１５）の中から大きいもの順に４個を選択し、その照明器具の識別番号を、記憶部２３内に設けられている影響度ランク表のｉ＝２の欄に格納する。次に、ｉ＝３の照度センサ装置１０ｃにより得られた差照度ΔＬ３ｊ（ｊ＝１〜１５）の中から大きいもの順に４個を選択し、その照明器具の識別番号を、記憶部２３内に設けられている影響度ランク表のｉ＝３の欄に格納する。図４（ａ）の影響度ランク表の例を参照すると、照度センサ装置１０ａにおいては、影響度ランク１位は照明器具Ｌ１に、２位は照明器具Ｌ２に、３位は照明器具Ｌ６に、４位は照明器具Ｌ７になっており、これらの４ランクの照明器具Ｌ１、Ｌ２、Ｌ６、Ｌ７が照度センサ装置１０ａに属することになる。照度センサ装置１０ｂにおいては、影響度ランク１位は照明器具Ｌ４に、２位は照明器具Ｌ３に、３位は照明器具Ｌ９に、４位は照明器具Ｌ８になっており、これらの４ランクの照明器具Ｌ４、Ｌ４、Ｌ９、Ｌ８が照度センサ装置１０ｂに属することになる。照度センサ装置１０ｃにおいては、影響度ランク１位は照明器具Ｌ１４に、２位は照明器具Ｌ１５に、３位は照明器具Ｌ９に、４位は照明器具Ｌ１０になっており、これらの４ランクの照明器具Ｌ１４、Ｌ１５、Ｌ９、Ｌ１０が照度センサ装置１０ｃに属することになる。また、制御部２２は、記憶部２３に設けられた光源光度表にこれらの上位ランクの照明器具の光度情報、すなわち、設定されたカンデラ値を格納する。光源光度表の例を図４に示す。Ｃ１、Ｃ２などは、照明器具Ｌ１、Ｌ２などの光度値を表す。（ステップＳ１８）の状態では、光源光度表（図４（ｂ））には、１２個全ての欄に最高光度である１７００カンデラの値が格納される。
【００５５】
また、（ステップＳ１８）において、制御部２２は、影響度ランクが５位以下であった照明器具Ｌ５、Ｌ１１、Ｌ１２、Ｌ１３の識別番号を、記憶部２３内に設けた影響度ランク外光源表に格納しておく。影響度ランク外光源表の例を図４（ｃ）に示す。
【００５６】
影響度とは、ある照明器具Ｌｊの光度を一定の光度の変化、すなわち変分光度だけ変化させたとき、どれだけ、現在照度が変化するかによって決められる指標である。照明器具Ｌｊの光度を変分光度だけ変化させることによって生じるｉ番目の照度センサ装置における現在照度Ｌｓｉの変化分を差照度ΔＬｉｊ＝Ｌｓｉ−Ｌｓｉ'で表した場合、ΔＬｉｊを変分光度で正規化した値、すなわち、（ΔＬｉｊ／変分光度）で表すことができる。また、変分光度を全ての照明器具Ｌ１〜Ｌ１５について一定値とすれば、ΔＬｉｊの値を影響度の値としてもよい。図５のフローチャートでは、ΔＬｉｊを影響度の値としている。ある照度センサ装置に対する影響度が大きい照明器具ほど、当該照度センサ装置の位置における照度を、より大きく変化させることになる。
【００５７】
（ステップＳ１８）において、差照度ΔＬ１ｊ（ｊ＝１〜１５）の中から大きいもの順に４個を選択し、照明器具Ｌ１〜Ｌ１５の識別番号を影響度ランク表に格納する処理、差照度ΔＬ２ｊ（ｊ＝１〜１５）の中から大きいもの順に４個を選択し、照明器具Ｌ１〜Ｌ１５の識別番号を影響度ランク表に格納する処理、および、差照度ΔＬ３ｊ（ｊ＝１〜１５）の中から大きいもの順に４個を選択し、照明器具Ｌ１〜Ｌ１５の識別番号を影響度ランク表に格納する処理は、いずれも、影響度が大きいかどうかの判断を行う処理である。従って、影響度が大きいと判断される照明器具を選択する処理とは、照明器具毎に計測された影響度の値について、影響度の値の大きい方から４個あるいは６個など所定の数だけ選び、それらに該当する照明器具の識別番号を選定する処理ということができる。
【００５８】
なお、影響度が大きい照明器具とは、上記のように、計測により取得した影響度の上位ｐ個（ｐは自然数）の照明器具等でもよいし、取得した影響度の値が所定の閾値より大きい１以上の照明器具等でもよい。
【００５９】
なお、上記説明では、初期光度Ｃｓを１７００カンデラとし、変分光度による低減変化分を３４０カンデラとした。これらの値は、この例に限らない。変分光度による変化分を初期光度Ｃｓに対して大きくすれば、正しい影響度の計測が容易であるが、大きすぎると部屋の照度の変化が大きくなり室内の人に違和感を与える恐れがある。変分光度による変化分を初期光度Ｃｓに対して２０％前後の値にするのが適当である。なお、この値は、部屋の大きさ、照明器具の数などによっては変更してもよい。
【００６０】
以上で、上記（２）、（３）の手順を終わり、次に、手順（４）、（５）、（６）の照度調整手順に進む。手順（４）、（５）、（６）の一例を図６のフローチャートに示す。このフローチャートにおいては、照度制御装置２００の受信部２１は、照度センサ装置１０ａ、１０ｂ、１０ｃが送信する照度センサ情報を随時受信しており、制御部２２は、目標照度Ｌｔｉと現在照度Ｌｓｉ（ｉ＝１、２、３）を受信部２１から受け取るたびに記憶部２３に設けた照度センサ情報表の目標照度Ｌｔｉ、現在照度Ｌｓｉ（ｉ＝１、２、３）の欄に格納する。図４に照度センサ情報表の例を示す。また、制御部２２は、目標照度Ｌｔｉと現在照度Ｌｓｉを受け取ると、目標照度Ｌｔｉと現在照度Ｌｓｉの差照度（Ｌｔｉ−Ｌｓｉ）を算出して照度センサ情報表の差照度の欄に格納する。
【００６１】
図６のフローチャートの処理を開始すると、まず（ステップＳ２１）において、制御部２２は、記憶部２３の影響度ランク外光源表を参照してランク外の照明器具の識別番号を調べ、それらの照明器具に所定の低光度Ｃｍｉｎの光度情報を送出するよう光度情報送出部２４に指示し、光度情報送出部２４は、指示に基づきランク外の照明器具に低光度Ｃｍｉｎの光度情報を送出する。低光度Ｃｍｉｎとは、照度センサ装置１０ａ、１０ｂ、１０ｃの位置から外れた位置における照度をあまり明るくせず、無駄な電力の削減を行い、かつ、真っ暗にはしない程度の明るさを保つ光度である。低光度Ｃｍｉｎは、例えば、最高光度Ｃｍａｘ＝１７００カンデラの３０％の５１０カンデラ程度とする。
【００６２】
次に（ステップＳ２２）に進み、制御部２２は、記憶部２３の照度センサ情報表を調べ、差照度（Ｌｔｉ−Ｌｓｉ）の絶対値が最大となっている行のｉを探索する。
【００６３】
次に（ステップＳ２３）に進み、このｉにおいて、差照度（Ｌｔｉ−Ｌｓｉ）が、Ｌｓｉ≧Ｌｔｉを満足するかどうか調べる。（ステップＳ２３）においてＹｅｓの場合、現在照度Ｌｓｉは目標照度Ｌｔｉを上回っていることになる。
【００６４】
次に（ステップＳ２４）に進み、制御部２２は、Ｌｓｉ≧１．１×Ｌｔｉを満たすかどうか判定する。Ｙｅｓの場合、現在照度Ｌｓｉは目標照度Ｌｔｉを１０％以上上回っているので、照度過剰と判定する。
【００６５】
次に（ステップＳ２５）に進み、制御部２２は、影響度ランク表の調べ、現在選択されているｉがｉ＝１の場合は、ｉ＝１に属するランクＭＩＮの照明器具、すなわち、最低ランク４位の照明器具Ｌ７を選択し、（ステップＳ２６）に進む。
【００６６】
（ステップＳ２６）において、制御部２２は、光源光度表を調べ、照明器具Ｌ７の現在光度が低光度Ｃｍｉｎ＝５１０カンデラになっているかどうか判定する。（ステップＳ２６）においてＮｏの場合、低光度Ｃｍｉｎになっていないので、（ステップＳ２７）に進み、制御部２２は、照明器具Ｌ７の光度を１ステップ低減するよう光度情報送出部２４に指示し、光源光度表の該当欄Ｃ７を新光度情報に書き換える。光度情報送出部２４は、１ステップ低減した新光度情報を照明器具Ｌ７に送出する。制御部２２は、１ステップ低減した光度情報の送出を指示した後、所定時間Ｔｒ後に各照度センサ装置１０ａ、１０ｂ、１０ｃから受信した照度センサ情報から、それぞれの現在照度Ｌｓｉ（ｉ＝１、２、３）を取り出し、最新の現在照度Ｌｓｉとして照度センサ情報表の現在照度欄に格納する。所定時間Ｔｒは、照明器具Ｌ７が新たな光度情報を受け取りその光度を変更するまでの時間遅れに対応する待ち時間である。その後、制御部２２は、（ステップＳ３５）の処理に進む。なお、１ステップの光度幅は、照明器具の光度制御の分解能に従って決めることができるが、一例として８５カンデラ程度でもよい。しかし、これに限らない。１ステップの光度幅が８５カンデラの場合、これは、最高光度１７００カンデラの５％に相当することになる。
【００６７】
（ステップＳ２６）においてＹｅｓの場合、制御部２２は、照明器具Ｌ７の現在光度を低光度５１０カンデラ以下には減光しないで、（ステップＳ２８）に進む。（ステップＳ２８）において、制御部２２は、現在のランクが１位であるかどうか判定し、Ｙｅｓの場合、これより上位のランクが無いので（ステップＳ３５）に進む。
【００６８】
（ステップＳ２８）においてＮｏの場合、制御部２２は、（ステップＳ２９）に進み、１ランク上である３位の照明器具Ｌ６を選択し（ステップＳ２６）に戻る。（ステップＳ２６）の判定により、照明器具Ｌ６が低光度Ｃｍｉｎでない場合は、（ステップＳ２７）により、その光度を１ステップ減光することになる。このように（ステップＳ２５）〜（ステップＳ２９）の手順により、制御部２２は、ｉ番目の照度センサ装置において照度が過大の場合、ｉ番目の照度センサ装置に対する影響度の大きい４つの照明器具の内、影響度が小さい４位の照明器具から順に光度を減光し、現在照度Ｌｓｉを目標照度Ｌｔｉに近づける動作を行うことになる。
【００６９】
（ステップＳ２３）においてＮｏの場合は、目標照度Ｌｔｉに対して現在照度Ｌｓｉが過小である。（ステップＳ３０）に進み、制御部２２は、記憶部２３の影響度ランク表の調べ、ｉに該当する欄の最上位ランク、すなわちランク１位の照明器具の識別番号を選ぶ。図４の影響度ランク表の例では、ｉ＝１でのランク１位の照明器具は、照明器具Ｌ１になる。
【００７０】
次に（ステップＳ３１）において、制御部２２は、光源光度表を調べ、照明器具Ｌ１の現在光度が最高光度１７００カンデラになっているかどうか判定する。（ステップＳ３１）においてＮｏの場合は、当該照明器具Ｌ１が最高光度になっていないことになるので、（ステップＳ３２）に進み、制御部２２は、照明器具Ｌ１の光度を１ステップ増光するよう光度情報送出部２４に指示し、光源光度表の該当欄Ｃ１を新光度情報に書き換える。光度情報送出部２４は、１ステップ増やした新光度情報を照明器具Ｌ１に送出し、照明器具Ｌ１は、１ステップ増光する。制御部２２は、１ステップ増光した光度情報を送出させた後、所定時間Ｔｒ後に各照度センサ装置１０ａ、１０ｂ、１０ｃから受信した照度センサ情報から、それぞれの現在照度Ｌｓｉ（ｉ＝１、２、３）を取り出し、最新の現在照度Ｌｓｉとして照度センサ情報表の現在照度欄に格納する。所定時間Ｔｒは、照明器具Ｌ１が新たな光度情報を受け取りその光度を変更するまでの時間遅れに対応する待ち時間である。その後、制御部２２は、（ステップＳ３５）の処理に進む。
【００７１】
（ステップＳ３１）においてＹｅｓの場合、照明器具Ｌ１は最高光度であり、これ以上増光できないので、（ステップＳ３３）に進む。（ステップＳ３３）において、制御部２２は、現在のランクが最低の４位であるかどうか判定し、Ｙｅｓの場合、これ以下のランクが無いので（ステップＳ３５）に進む。（ステップＳ３３）においてＮｏの場合、（ステップＳ３４）に進み、１ランク下のランク２位の照明器具であるＬ２を選択し（ステップＳ３１）に戻る。（ステップＳ３１）、（ステップＳ３２）により、照明器具Ｌ１が最高光度でない場合は、光度を１ステップ増光することになる。（ステップＳ３０）〜（ステップＳ３４）の手順により、制御部２２は、ｉ番目の照度センサ装置において照度が過小の場合、ｉ番目の照度センサ装置に対する影響度の大きい４つの照明器具の内、影響度が最も大きい１位の照明器具から順に光度を増光し、目標照度Ｌｔｉに近づける動作を行うことになる。
【００７２】
（ステップＳ３５）に進むと、制御部２２は、照度センサ情報表を探索し、残りのｉの内で差照度（Ｌｔｉ−Ｌｓｉ）が正であるｉを優先的に選び、かつ、絶対値が最大のｉを選ぶ。従って、照度センサ情報表の差照度欄に、正の差照度（Ｌｔｉ−Ｌｓｉ）がある場合、その中の最大値であるｉを選ぶ。差照度（Ｌｔｉ−Ｌｓｉ）が全部負の値である場合には、その中で絶対値が最大値であるｉを選ぶ。次に（ステップＳ２３）に進み、新たなｉについて、上記説明と同様の処理を行う。
【００７３】
本実施の形態での処理手順では、ある照度センサ装置について、１位から４位のいずれかの照明器具の光度を１ステップ増減すると、（ステップＳ３５）の処理により、別の照度センサ装置に対応した光度の増減に移る。このような手順を繰り返すことにより、全照度センサ装置１０ａ、１０ｂ、１０ｃのそれぞれについて満遍なく、現在照度Ｌｓｉを目標照度Ｌｔｉに徐々に近づけてゆくことができる。
【００７４】
最終的には、現在照度Ｌｓｉが目標照度Ｌｔｉの１００％から１１０％の範囲内になると、（ステップＳ２４）においてＮｏとなり、制御部２２は、（ステップＳ２３）、（ステップＳ２４）、（ステップＳ３５）のループに入り、光度の増減処理は行われなくなり、制御を終了する。ただし、光度の１ステップの増減幅が大きいと、照度の変化幅も大きくなり、現在照度Ｌｓｉが目標照度Ｌｔｉの１００％から１１０％の範囲内に入らず、（ステップＳ２４）でＮｏにならない場合があり得る。このような場合は、各ｉ番目の照度センサ装置の上の天井付近にある４個の照明器具が増光と減光とを繰り返すことになるが、照度のちらつきを余り感知しないように出来る。なお、１ステップの増光、減光の幅と、目標照度Ｌｔｉの許容幅１０％については、これらの値以外の値にしてもよい。
【００７５】
上記説明のように、初期光度Ｃｓとして最高光度から出発する場合は、最初の内は、（ステップＳ２３）でＹｅｓになることが多く、Ｎｏにはならないが、（ステップＳ２７）における減光が多数の照明器具において実行されると、（ステップＳ２３）でＮｏになる場合が生じ、（ステップＳ３２）における増光が必要になってくる。
【００７６】
（ステップＳ３５）において、差照度が正値の場合を優先するのは、後述するように、各照度センサ装置においては、早期に照度を目標照度Ｌｔｉ以上にすることを目指すためである。また、（ステップＳ２２）、（ステップＳ３５）において差照度の絶対値が大きいものを優先して選択するのは、現在照度Ｌｓｉと目標照度Ｌｔｉの差が大きい場合に、早期にその差を縮小し、照明制御システム全体が早期に目標状態に収束できるようにするためである。従って、（ステップＳ２２）においても、（ステップＳ３５）と同様に、差照度が正値の場合を優先するようにしてもよい。
【００７７】
上記説明では、影響度のランクが４位以内の照明器具について、光度情報を増減するようにした。これは、照度センサ装置における現在照度Ｌｓｉに大きく影響を与える照明器具は、当該照度センサ装置から最寄りの４つの照明器具であり、それより遠方の照明器具の影響度は相対的に小さいと看做されるからである。影響度のランクは６位程度に増やしても良いが、それ以上多くしても、収束速度が向上することは余りない。
【００７８】
以上のように、上記図６のフローチャートによれば、本発明の照明制御システムにおける照度制御装置２００は、照度センサ装置に対して設定される目標照度情報と当該照度センサ装置が出力する現在照度情報とを比較し、目標照度情報の方が小さい場合、すなわち、当該照度センサ装置の位置において明るすぎる場合、当該照度センサ装置に対して選択された複数個の照明器具の内で影響度が小さいと判断された照明器具を優先して選択して、その発光光度を減光させる。ここで、影響度が小さいと判断されて優先される照明器具は、当該照度センサ装置に対して選択された複数個の照明器具、上記例では、影響度が大きいと判断された１位から４位の照明器具の中で、影響度が相対的に小さい照明器具を指す。
【００７９】
典型的には、照度制御装置２００は、前記当該照度センサ装置に対して選択された複数個の照明器具の内で、影響度が最も小さいと判断された照明器具の発光光度を減光させた後、影響度が次に小さいと判断された照明器具の発光光度を減光させる。従って、まず、ランク４位の照明器具の減光制御が終わると、影響度が相対的に次に小さいランク３位の照明器具の減光に移る。まだ明るすぎる場合は、影響度が相対的に次に小さいランク２位の照明器具の減光に順次移る。
【００８０】
また、照度制御装置２００は、照度センサ装置に対して設定される目標照度情報と当該照度センサ装置が出力する現在照度情報とを比較し、目標照度情報の方が大きい場合、すなわち、当該照度センサ装置の位置において暗すぎる場合、当該照度センサ装置に対して選択された複数個の照明器具の内で影響度が大きいと判断された照明器具を優先して選択して、その発光光度を増光させる。ここで、影響度が大きいと判断されて優先される照明器具は、当該照度センサ装置に対して選択された複数個の照明器具、上記例では、影響度が大きいと判断された１位から４位の照明器具の中で、影響度が相対的に大きい照明器具を指す。
【００８１】
典型的には、照度制御装置２００は、前記当該照度センサ装置に対して選択された複数個の照明器具の内で、影響度が最も大きいと判断された照明器具の発光光度を増光させた後、影響度が次に大きいと判断された照明器具の発光光度を増光させる。従って、まず、ランク１位の照明器具の増光制御が終わると、影響度が相対的に次に大きいランク２位の照明器具の増光に移る。未だ暗すぎる場合は、影響度が相対的に次に大きいランク３位の照明器具の増光に順次移る。
【００８２】
以上説明した本発明の照明制御システムにおける実施の形態１の制御手順は、以下のような確定的ルールにより成り立っている。
（ａ）各照度センサ装置においては、照度をある値以上にする、という照度制約条件を与えている。
（ｂ）現在照度Ｌｓｉが目標照度Ｌｔｉより大きい場合、影響度のある照明器具の内、影響度ランクの低い、すなわち、影響度が小さい照明器具から減光する。
（ｃ）現在照度Ｌｓｉが目標照度Ｌｔｉより小さい場合、影響度のある照明器具の内、影響度ランクの高い、すなわち、影響度が大きい照明器具から増光する。
（ｄ）複数の照度センサ装置がある場合、現在照度Ｌｓｉと目標照度Ｌｔｉの差が大きい照度センサ装置に影響度のある照明器具から増光、または、減光する。
【００８３】
なお、図４（ａ）の影響度ランク表における照明器具Ｌ９のように、２つ以上の照度センサ装置に影響する場合、「影響のある照度センサ装置が重複している。」という。影響のある照度センサ装置が重複している場合は、上記（ｄ）のルールの代りに以下のルール（ｅ）および（ｆ）を適用してもよい。
（ｅ）影響のある照度センサ装置が重複しており、かつ、すべての照度センサ装置の現在照度Ｌｓｉが目標照度Ｌｔｉより大きい場合、現在照度Ｌｓｉと目標照度Ｌｔｉの差が一番大きい照度センサ装置を選び、その照度センサ装置に属するランクの低い照明器具から減光する。
（ｆ）影響のある照度センサ装置が重複しており、かつ、その中の１つ以上の照度センサ装置の現在照度Ｌｓｉが目標照度Ｌｔｉより小さい場合、現在照度Ｌｓｉが目標照度Ｌｔｉより低い照度センサ装置の中でその差が一番大きい照度センサ装置を選び、その照度センサ装置に属するランクの高い照明器具から増光する。
【００８４】
（ｅ）、（ｆ）の手順を適用する場合は、次のような処理を行えばよい。影響のある照度センサ装置の重複の有無の判定は、制御部２２が、記憶部２３の影響度ランク表を参照して、２つのｉの組み合わせについて、照明器具の識別番号を調べ、同じ識別番号があるかどうか判定すればよい。同じ識別番号があれば、それらの２つのｉを一時記憶するために記憶部２３に格納すればよい。図４の影響度ランク表の場合、ｉ＝１と２の組み合わせ、ｉ＝２と３の組み合わせ、ｉ＝３と１の組み合わせ、それぞれについて、重複の有無を調べる。ｉ＝２と３の組み合わせにおいて、照明器具Ｌ９が、ランク３位において重複していることが検出できる。そこで、ｉ=３、１を記憶部２３に格納しておく。これらのような重複の判定処理は、影響度ランク表が作成された直後、従って、（ステップＳ１８）の後、または、（ステップＳ２１）の前に行えばよい。一時記憶した重複のあるｉの照度センサ装置について、（ステップＳ２２）において、照度センサ情報表を探索して、上記（ｅ）の条件を満たすかどうかの判定を行い、満たす場合は、重複するｉの照度センサ装置の内で、（ステップＳ２２）の処理を行い（ステップＳ２３）に進めば良い。この場合は、（ステップＳ２３）においてＹｅｓとなり、（ステップＳ２４）に進むことになる。また、（ステップＳ２２）において、照度センサ情報表を探索して、上記（ｆ）の条件を満たすかどうかの判定を行い、満たす場合は、重複するｉの照度センサ装置の内で、（ステップＳ２２）の処理を行い（ステップＳ２３）に進めば良い。この場合は、（ステップＳ２３）においてＮｏとなり、（ステップＳ３０）に進むことになる。
【００８５】
制御部２２は、通常、ＭＰＵやメモリ等から実現され得る。記憶部２３は、不揮発性の記録媒体が好適であるが、揮発性の記録媒体でも実現可能である。制御部２２の処理手順は、通常、ソフトウェアで実現され、当該ソフトウェアはＲＯＭ等の記録媒体に記録されている。但し、ハードウェア（専用回路）で実現してもよい。照度センサ装置１０ａ、１０ｂ、１０ｃの各制御部１２は、図３に示したような照度センサ情報の符号列を生成する簡単な機能であるが、ＭＰＵやメモリ等から実現され得る。但し、ハードウェア（専用回路）で実現してもよい。送信部１４、受信部２１は、周知の無線通信用の回路や赤外線通信用の回路などにより実現可能である。これらの実現方法については、以下の実施の形態においても同様に適用可能である。
【００８６】
上記説明したような本発明の照明制御システムを試作し、目標照度Ｌｔｉを７５０カンデラから８００カンデラ程度に設定した場合、おおむね、５０回程度の増光や減光のステップにより、目標照度に収束する結果が得られた。収束時間は、図５と図６のフロ−チャートの処理時間により決まる。その中でも、所定の待ち時間Ｔｒによる影響が大きいので、光度変化の応答速度が速い照明器具を使用すれば、収束時間は短縮できる。
【００８７】
本発明の照明制御システムにおいては、照度センサ装置１０ａ、１０ｂ、１０ｃを任意の位置に設置できる。照明したい場所が変わった場合は、照度センサ装置１０ａ、１０ｂ、１０ｃを所望の位置に移動させ、その位置で、スタートスイッチを押すと、本発明の照明制御システムは、図５のフローチャートの（ステップＳ１１）の手順に移り、新たな位置での上記の影響度計測手順を開始し、その次に上記の図６のフローチャートの照度調整手順を実行する。その結果、各照明器具Ｌ１〜Ｌ１５の発光光度は、照度センサ装置１０ａ、１０ｂ、１０ｃの新たな位置における目標照度Ｌｔｉを実現するのに最適な照明状態になるように制御される。
（実施の形態２）
【００８８】
上記実施の形態１では、光度情報を１ステップ増減するたびに、ｉを変更して別の照度センサ装置の現在照度Ｌｓｉを目標照度Ｌｔｉに近づける処理を行った。（ステップＳ３５）において、全部のｉを対象にして、（Ｌｔｉ−Ｌｓｉ）の絶対値が最大のｉを探索してもよい。制御部２２は、差照度が大きい照度センサ装置を優先的に選択して、その現在照度Ｌｓｉを目標照度Ｌｔｉに近づける処理を行うことになる。この実施の形態では、差照度が大きすぎて、光度情報を１ステップ増減しても、差照度が十分に減らない場合、同じｉ番目の照度センサ装置について、繰り返し光度情報の増減を行い、差照度が、ｉ以外の他の照度センサ装置の差照度以下になるように制御した後、別の照度センサ装置に移行することになる。
（実施の形態３）
【００８９】
上記実施の形態１では、光度情報を１ステップ増減するたびに、ｉを変更して別の照度センサ装置の現在照度Ｌｓｉを目標照度Ｌｔｉに近づける処理を行ったが、一旦１つのｉを選択すると、その照度センサ装置の現在照度Ｌｓｉが目標照度Ｌｔｉに十分に近づくまで、光度情報の増減を繰り返すような手順を適用してもよい。このためには、図６のフローチャートにおいて、（ステップＳ２７）の処理の次に、（ステップＳ２３）に戻り、（ステップＳ３２）の処理の次に、（ステップＳ２３）に戻るようにすればよい。このようにすれば、（ステップＳ２４）においてＮｏ、すなわち、現在照度Ｌｓｉが目標照度Ｌｔｉの１００％から１１０％の範囲に入るまで、ｉ番目の照度センサ装置について、影響度が大きい４個の照明器具の光度の制御を優先的に行い、その後、他のｉに対応する照度センサ装置のための光度情報の制御に移行するようにすることになる。
（実施の形態４）
【００９０】
次に、図６のフローチャートの別の変形例について説明する。図６の（ステップＳ３３）においてＹｅｓになると、当該ｉ番目の照度センサ装置においては、１位から４位までの照明器具が最高光度であり、増光できない状態である。しかも、（ステップＳ２３）においてＮｏであったから、現在照度Ｌｓｉが目標照度Ｌｔｉに達していないので、この状態は、上記ルール（ａ）に反した状態である。このような状態は、最高光度１７００カンデラの照明制御システムにおいて、目標照度Ｌｔｉが極めて高い場合に起こりうる。また、照明器具Ｌ１〜Ｌ１５の使用時間が長くなり、最高光度が１７００カンデラ以下に劣化した場合にも起こりうる。言い換えれば、このような状態は、１位から４位の照明器具だけでは目標照度Ｌｔｉを実現できない状態である。このような場合、残りの照明器具の光度を低光度Ｃｍｉｎから増光させれば、目標照度Ｌｔｉを満足させるか、目標照度Ｌｔｉにより近づけることが可能である。このために、図７のフローチャートの２つの手順（ステップＳ４１、ステップＳ４２）を、図６のステップＳ３３（Ｙｅｓの場合）とステップＳ３５の間に追加する。
【００９１】
図７のフローチャートに従うと、図６の（ステップＳ３３）においてＹｅｓの場合、制御部２２は、（ステップＳ４１）に進み、光源光度表において、ｉ番目の照度センサ装置欄の１位から４位の照明器具の光度情報が最高光度であることを確認し、この場合、（ステップＳ４２）に進み、影響度ランク外光源表を参照して、照明器具Ｌ１〜Ｌ１５の内でランク外になっている照明器具Ｌ５、Ｌ１１、Ｌ１２、Ｌ１３の光度情報を１ステップ増光する指令を光度情報送出部２４に行う。光度情報送出部２４は、指令に従って、１ステップ増光した光度情報を照明器具Ｌ５、Ｌ１１、Ｌ１２、Ｌ１３に送出する。その後、制御部２２は、照度センサ情報表を更新し、（ステップＳ３５）に戻る。なお、（ステップＳ４１）の手順は、実質上（ステップＳ３１）において行われているので、これを省いてもよい。また、記憶部２３は、影響度ランク外光源表の各照明器具に送出している光度情報を格納する表を設けておき、制御部２２が、（ステップＳ４２）において、新光度情報を格納するようにしてもよい。
（実施の形態５）
【００９２】
上記、実施の形態４では、上位ランクの４個の照明器具だけでは目標照度Ｌｔｉを実現できない場合、影響度のランクが５位以下の全ての照明器具の光度を増強するようにした。このようにすると、照度センサ装置から遠い位置にあり、当該照度に殆ど寄与しない照明器具の光度も上がるため、消費電力に無駄が発生する。上位ランク１位〜４位の４個の照明器具の近傍の照明器具を選んで、光度を増強するようにしてもよい。このためには、ランク１位〜４位の４個の照明器具を選択した後で、その近傍の照明器具を、各照度センサ装置毎に選択しておけばよい。予め、各照明器具の配置状況は分っている。各照明器具の座標データを記憶部２３に格納しておき、ランク１位〜４位の４個の照明器具の座標の隣に位置する照明器具をランク外の照明器具として各照度センサ装置毎に選定し、その照明器具の識別番号を記憶部２３に格納しておき、（ステップＳ４２）において、ランク外の照明器具として適用して増光すればよい。この場合は、図４の影響度ランク外光源表としては、照度センサ装置１０ａ、１０ｂ、１０ｃ毎にランク外光源として照明器具の識別番号を格納することになる。近傍の照明器具とは、上位ランク内の照明器具に隣接して配置されている照明器具のことを指す。すなわち、ランク外の照明器具の内で、当該ランク１位〜４位の照明器具に隣接して配置されている照明器具である。あるいは、ある照明器具の近傍の照明器具とは、例えば、各照明器具の座標データを用いて算出されるある照明器具と他の照明器具間の距離が閾値より小さい他の照明器具や、照明器具間の距離が最も小さい他の照明器具や、照明器具間の距離が小さい方からｒ個（ｒは自然数）の他の照明器具でもよい。
【００９３】
なお、ランク１位〜４位の４個の照明器具の座標の隣に位置する照明器具の内で、どの照度センサ装置によってもランク１位〜４位の４個の照明器具に選定されていない照明器具をランク外の照明器具として各照度センサ装置毎に選定し、記憶部２３に格納しておいてもよい。この場合も、図４の影響度ランク外光源表としては、照度センサ装置１０ａ、１０ｂ、１０ｃ毎にランク外光源として照明器具の識別番号を格納することになる。
（実施の形態６）
【００９４】
上記各実施の形態において、２つの照度センサ装置（ｉ＝ｍ、ｉ＝ｎ）の位置がほぼ同じ位置に置かれ、かつ、２つの目標照度ＬｔｍとＬｔｎの片方が大きく、他方が小さくて差が１０％を超える場合、両方を目標照度以上、かつ、誤差１０％以内にすることは、元々不可能である。
【００９５】
実施の形態１および２では、（ステップＳ３５）において、差照度（Ｌｔｉ−Ｌｓｉ）の大きいものを優先的に光度制御するため、最終的には、２つの照度センサ装置（ｉ＝ｍ、ｉ＝ｎ）については、目標照度ＬｔｍとＬｔｎの平均的な照度に収束してゆき、最後は、その近辺の照度状態で、（ステップＳ２７）と（ステップＳ３２）により、１ステップの減光と増光を繰り返す。
【００９６】
実施の形態３では、１つの照度センサ装置において、その目標照度まで制御し、次に別の照度センサ装置で、その目標照度まで制御するので、２つの目標照度ＬｔｍとＬｔｎの間で照度が明るくなったり暗くなったり変化する。このように大幅に照度が変化する状態は好ましくないので、次のようにしても良い。
【００９７】
各照度センサ装置１０ａ、１０ｂ、１０ｃの目標照度設定部１３に、電源ＯＮ／ＯＦＦスイッチを設けておき、電源スイッチＯＦＦの場合は、照度センサ装置の電源をＯＦＦにして、照度センサ情報の送信を停止できるようにしておく。ユーザは、２つの照度センサ装置（ｉ＝ｍ、ｉ＝ｎ）の位置が近い場合、片方の電源スイッチをＯＦＦにすれば良い。照度制御装置２００は、定期的に受信できる照度センサ情報についてのみ、上記各実施の形態での処理手順を実行するようにすればよい。
【００９８】
なお、２つの照度センサ装置（ｉ＝ｍ、ｉ＝ｎ）の位置が近い場合、ユーザが、それぞれの目標照度Ｌｔｍ、Ｌｔｎをほぼ同じ値に設定すれば、上記問題が発生しないことは勿論である。
（実施の形態７）
【００９９】
次に、実施の形態６において説明したような、２個の照度センサ装置（ｉ＝ｍ、ｉ＝ｎ）の位置が近い状態の場合、一方を優先的に選択して、その照度センサ装置の目標照度Ｌｔｉに収束させる制御について説明する。
【０１００】
図８は、２個の照度センサ装置１０ａ、１０ｂ（ｉ＝１、ｉ＝２）の位置が近い状態の場合の、照明器具Ｌ１〜Ｌ１５の上位４ランクの照明器具の識別番号の例である。図８（ａ）に示した影響度ランク表（１）は、照明器具Ｌ１、Ｌ２、Ｌ６、Ｌ７が囲む天井のエリア内で、特にＬ１の下の机の位置に２個の照度センサ装置がある場合である。長円形の囲みは、影響のある照度センサ装置の重複がある照明器具の識別番号を示す。この場合、１位が重複し、２位と３位がたすき掛けに重複し、４位が重複している。たすき掛けとは、同じ照明器具が、２つの照度センサ装置に対して、上位ランクの照明器具として選定されている場合で、かつ、２つの照度センサ装置において同一ランクにない場合の状態を指す。図８（ａ）に示した照明器具Ｌ２がたすき掛けである。図８（ａ）に示した照明器具Ｌ６もたすき掛けである。なお、２つの照度センサ装置１０ａ、１０ｂの配置が少し異なると、照度センサ装置１０ａにおいて、２位がＬ２に、３位がＬ６になることもある。この場合は、２位同士が重複し、３位同士も重複し、たすき掛けにはならない。
【０１０１】
図８（ｂ）に示した影響度ランク表（２）は、照明器具Ｌ３、Ｌ４、Ｌ８、Ｌ９が囲む天井のエリア内で、特にＬ３とＬ８を結ぶ線分の中点付近の天井位置の下方に２個の照度センサ装置を置いた場合である。照度センサ装置１０ａをＬ３に近めに、照度センサ装置１０ｂをＬ８に近めに置いたものとする。１位と２位がたすき掛けに重複し、３位と４位がたすき掛けに重複している。
【０１０２】
図８（ｃ）に示した影響度ランク表（３）は、照明器具Ｌ４、Ｌ５、Ｌ１４、Ｌ１５が囲む天井のエリア内で、特に線分Ｌ４、Ｌ９、Ｌ１４の上でＬ９を挟む２点の天井位置の下部に２個の照度センサ装置がある場合である。１位が重複し、３位が重複している。
【０１０３】
図８（ｄ）に示した影響度ランク表（４）は、照明器具Ｌ４、Ｌ５、Ｌ１４、Ｌ１５のエリア内で、特に線分Ｌ９、Ｌ１０の中間でＬ９にやや近い天井位置の下部に２個の照度センサ装置がある場合である。１位が重複し、２位が重複している。
【０１０４】
制御部２２は、上記例のように、たすき掛けも含めて１位に重複がある場合、２つの照度センサ装置１０ａ、１０ｂの内、目標照度Ｌｔｉが大きい方の照度センサ装置を優先し、他方を無視するようにすれば、収束結果が、ともかくも目標照度Ｌｔｉを下回らないようにできる。なお、たすき掛けも含めて１位に重複があるとは、ある照度センサ装置においてランク１位に選択された照明器具が、他の照度センサ装置においても４位以上のような上位ランクに選択されている場合をいう。重複の有無の判定は、制御部２２が、記憶部２３の影響度ランク表を参照して、２つのｉの組み合わせについて、１位欄に記載された照明器具の識別番号を調べ、同じであるかどうか判定すればよい。１位と２位がたすき掛けになっているかどうかの判定は、２つの照度センサ装置の欄において、一方の１位欄と他方の２位欄に記載された照明器具の識別番号を調べ、同じであるかどうか判定すればよい。なお、重複の有無の判定条件としては、上記以外に、たすき掛けも含めて１位に重複があり、更に別の照明器具に重複がある場合、としてもよい。また、これらの条件以外でもよい。これらのような条件の判定処理は、影響度ランク表が作成された直後、従って、（ステップＳ１８）の後、または、（ステップＳ２１）の前に行えばよい。これらの条件を満たす場合は、２個の照度センサ装置の内で、目標照度Ｌｔｉが低い方の照度センサ情報のｉに関する処理を、図６のフローチャートにおける（ステップＳ２２）、（ステップＳ３５）において無視する制御を行えばよい。また、影響度ランク外光源表の作成時に、無視されるｉに関わる照度センサ装置において全く重複がない照明器具の識別番号を影響度ランク外光源表に追加格納する。従って、この処理手順も、（ステップＳ１８）の後、または、（ステップＳ２１）の前に行うのが好ましい。
【０１０５】
（その他の実施の形態および補足）
【０１０６】
（１）以上説明したように、本発明の照度制御システムは、発光光度を制御できる複数の照明器具を具備する照明装置と、前記照明装置によって照明される位置の照度を計測し、計測した照度を表す情報である現在照度情報を出力する１つ以上の照度センサ装置と、（ＣＰＵなどによって構成される）制御部２２と光度情報送出部２４、および、記憶媒体によって構成される記憶部２３とを具備し、制御部２２により、前記各照明器具の光源光度を所定の変分光度だけ変化させて得た前記現在照度情報の変化に基づき、各照明器具が前記照度センサ装置の前記現在照度情報に及ぼす影響度を制御部２２が計測して記憶部２３に格納し、当該影響度を用いて影響度が大きいと判断された照明器具を前記照度センサ装置毎に制御部２２が選択して記憶部２３に格納し、制御部２２が記憶部２３を読み出すことにより、当該選択された照明器具の発光光度を光度情報送出部２４により増減制御する照度制御装置と、を具備した照明制御システムである。
【０１０７】
（２）また、本発明の照度制御システムは、発光光度を制御できる複数の照明器具を具備する照明装置と、前記照明装置によって照明される位置の照度を計測し、計測した照度を表す情報である現在照度情報を出力する１つ以上の照度センサ装置と、（ＣＰＵなどによって構成される）制御部２２と光度情報送出部２４、および、記憶媒体によって構成される記憶部２３とを具備し、制御部２２により、前記各照明器具の光源光度を所定の変分光度だけ変化させて得た前記現在照度情報の変化を表す差照度に基づき、各照明器具が前記照度センサ装置の前記現在照度情報に及ぼす影響度を制御部２２が計測して記憶部２３に格納し、当該影響度を用いて影響度が大きいと判断された照明器具を前記照度センサ装置毎に制御部２２が複数個選んで記憶部２３に格納し、制御部２２が記憶部２３を読み出すことにより、当該選択された複数個の照明器具の発光光度を光度情報送出部２４により増減制御する照度制御装置と、を具備した照明制御システムである。
【０１０８】
（３）前記照度制御装置は、前記照度センサ装置に対して設定される目標照度情報と当該照度センサ装置が出力する前記現在照度情報とを制御部２２において比較し、目標照度情報の方が小さい場合、制御部２２が記憶部２３を読み出すことにより当該照度センサ装置に対して選択された複数個の照明器具の内で影響度が小さいと判断された照明器具を優先して選択して、その発光光度を光度情報送出部２４により減光させることを特徴とする照明制御システムである。
【０１０９】
（４）前記照度制御装置は、前記当該照度センサ装置に対して選択された複数個の照明器具の内で、影響度が最も小さいと制御部２２において判断された照明器具の発光光度を光度情報送出部２４により減光させた後、影響度が次に小さいと制御部２２において判断された照明器具の発光光度を光度情報送出部２４により減光させることを特徴とする照明制御システムである。
【０１１０】
（５）前記照度制御装置は、前記照度センサ装置に対して設定される目標照度情報と当該照度センサ装置が出力する前記現在照度情報とを制御部２２において比較し、目標照度情報の方が大きい場合、制御部２２が記憶部２３を読み出すことにより当該照度センサ装置に対して選択された複数個の照明器具の内で影響度が大きいと判断された照明器具を優先して選択して、その発光光度を光度情報送出部２４により増光させることを特徴とする照明制御システムである。
【０１１１】
（６）前記照度制御装置は、前記当該照度センサ装置に対して選択された複数個の照明器具の内で、影響度が最も大きいと制御部２２において判断された照明器具の発光光度を光度情報送出部２４により増光させた後、影響度が次に大きいと制御部２２において判断された照明器具の発光光度を光度情報送出部２４により増光させることを特徴とする照明制御システムである。
【０１１２】
（７）前記照度制御装置は、前記影響度が大きいと判断された照明器具として制御部２２により選択された照明器具以外の照明器具の発光光度を制御部２２が光度情報送出部１３を介して所定の低光度に設定することを特徴とする照明制御システムである。
【０１１３】
（８）前記照度制御装置は、前記照度センサ装置が複数ある場合、前記照度センサ装置毎に設定される目標照度情報と当該照度センサ装置が出力する前記現在照度情報とを制御部２２が比較し、前記現在照度情報と前記目標照度情報の差が大きい照度センサ装置を制御部２２が優先的に選択して、制御部２２が記憶部２３を読み出して当該選択された照度センサ装置に対する影響度が大きいと判断された前記照明器具の発光光度を光度情報送出部２４により増減することを特徴とする照明制御システムである。
【０１１４】
（９）前記照度制御装置は、前記照度センサ装置が複数ある場合、前記照度センサ装置毎に設定される目標照度情報と当該照度センサ装置が出力する前記現在照度情報とを制御部２２が比較し、制御部２２は前記現在照度情報が前記目標照度情報を下回る照度センサ装置を優先的に選択して、当該選択された照度センサ装置に対する影響度が大きいと制御部２２により判断された前記照明器具の発光光度を光度情報送出部２４により増光させることを特徴とする照明制御システムである。
【０１１５】
（１０）前記照度制御装置は、前記影響度が大きいと判断された照明器具として制御部２２により選択された複数個の照明器具の発光光度が最高光度になっていて増光出来ない場合、前記影響度が大きいと判断された照明器具として制御部２２により選択された照明器具以外の照明器具の発光光度を制御部２２が光度情報送出部２４を介して増光させることを特徴とする照明制御システムである。
【０１１６】
（１１）前記照度制御装置は、前記影響度が大きいと判断された照明器具として選択された複数個の照明器具の発光光度が最高光度になっていて増光出来ない場合、前記影響度が大きい照明器具として制御部２２により選択された照明器具以外の照明器具の内で、前記影響度が大きい照明器具として選択された照明器具の近傍に位置する照明器具の発光光度を制御部２２が光度情報送出部２４を介して増光させることを特徴とする照明制御システムである。
【０１１７】
（１２）前記照度制御装置は、制御部２２により前記影響度が大きいと判断された照明器具を前記照度センサ装置毎に４個ないし６個選んで記憶部２３に記憶し、当該選択された４個ないし６個の照明器具の発光光度を制御部２２が光度情報送出部２４を介して増減制御することを特徴とする照明制御システムである。
【０１１８】
上記説明では、図５のフローチャートに示した影響度の計測手順の（ステップＳ１１）において、初期光度Ｃｓを最高光度Ｃｍａｘとしたが、１５００カンデラなどのような中間の光度としてもよい。また、（ステップＳ２１）における低光度Ｃｍｉｎは、３０％以外の値でもよい。また、図６のフローチャートの（ステップＳ２１）の前に、ランク１位から４位の各照明器具の初期光度Ｃｓを影響度の計測手順における初期光度Ｃｓと異なる光度に設定するようにしてもよい。例えば、最高光度より低めの１３００〜１５００カンデラ程度にしてもよい。
【０１１９】
上記説明では、影響度の計測において、上位ランク１位から４位の照明器具を主要な制御対象として選択したが、ランク数は４以外、例えば、１、２、３などでもよい。４以上でもよいが、影響度が下位になると、影響度を正確に、かつ、安定に計測するのが困難な場合もあるので、ランク数は余り多くなくてよい。また、ランク数を多くすると、照度収束まで、時間がかかる。照明器具の配列状態にもよるが、最大６ランク程度あれば十分である。
【０１２０】
上記説明では、（ステップＳ２７）、（ステップＳ３２）における１ステップの光度の増減幅を一定としたが、差照度の絶対値が大きい場合は、１ステップの値を大きい値とし、差照度の絶対値が小さくなるに従い、１ステップの値を小さい値に変化させるようにしても良い。目標照度に近づけるまでの制御の回数を増やすことなく、むしろ、減らしながら、収束状態における目標照度Ｌｔｉと現在照度Ｌｓｉの差を小さくできる。
【０１２１】
上記説明では、複数個の照度センサ装置を使用したが、照度センサ装置が１個の場合も本発明の照明制御システムの手順を適用できる。また、目標照度Ｌｔｉは、照度センサ装置１０ａ、１０ｂ、１０ｃの内部で生成して照度制御装置２００に送信するようにしたが、照度センサ装置１０ａ、１０ｂ、１０ｃとは別の場所、例えば、部屋の壁面の操作盤や、照度制御装置２００の内部で生成して、照度センサ装置１０ａ、１０ｂ、１０ｃに対する目標照度Ｌｔｉとして制御部２２に送るようにしてもよい。この場合、図３の照度センサ情報において目標照度Ｌｔｉは送信しなくてよい。
【０１２２】
本発明における上記の確定的手順（１）〜（６）やルール（ａ）〜（ｆ）は、本発明の思想の範囲で種々変更が可能である。また、図４で説明した各種表などの形式は変更が可能である。
【０１２３】
また、本発明は、以上の実施の形態に限定されることなく、実施の形態の構成やフローチャートの手順について、種々の変更が可能であり、それらも本発明の範囲内に包含されるものであることは言うまでもない。
【産業上の利用可能性】
【０１２４】
本発明にかかる照明制御システムは、建物の内部、外部、ホールや種々の施設の照明制御システムとして有用である。
【図面の簡単な説明】
【０１２５】
【図１】本発明の照明制御システムの一実施形態のブロック図
【図２】本発明の照明制御システムの一実施形態の更に詳細なブロック図
【図３】本発明の照明制御システムの照度センサ情報の例を示す図
【図４】本発明の照明制御システムに使用する各種表の図
【図５】本発明の照明制御システムの制御手順のフローチャート
【図６】本発明の照明制御システムの制御手順のフローチャート
【図７】本発明の照明制御システムの制御手順の変形例のフローチャート
【図８】本発明の照明制御システムの影響度ランクの重複の例を示す図
【符号の説明】
【０１２６】
１００    照明装置
２００    照度制御装置
１０ａ、１０ｂ、１０ｃ    照度センサ装置
１１    照度センサ
１２    制御部
１３    目標照度設定部
１４    送信部
２１    受信部
２２    制御部
２３    記憶部
２４    光度情報送出部
【図１】
2008016291.tif 000003
【図２】
2008016291.tif 000004
【図３】
2008016291.tif 000005
【図４】
2008016291.tif 000006
【図５】
2008016291.tif 000007
【図６】
2008016291.tif 000008
【図７】
2008016291.tif 000009
【図８】
2008016291.tif 000010